(57)【要約】【課題】  静止画像情報を別の記録媒体に移動したり、複写したりする操作を行った場合でも、印刷情報を再度設定することを不要にする。【解決手段】  静止画像ファイルを別のメディアに移動するときに、その移動させる静止画像ファイルに対応するＤＰＯＦ情報があるか否かの判定を行い、対応するＤＰＯＦ情報があれば、そのＤＰＯＦ情報を移動先メディア内のＤＰＯＦ情報ファイルに追記する。【選択図】  図１
2006229771.tif 000002
【特許請求の範囲】
【請求項１】
静止画像情報を生成する静止画像情報生成手段と、
静止画像情報に関連付けた印刷情報を生成する印刷情報生成手段と、
第１の記録媒体と第２の記録媒体との間で静止画像情報を移動又は複写する手段と、
前記第１の記録媒体と前記第２の記録媒体との間で静止画像情報を移動又は複写するとき、その静止画像情報に関連付けられた印刷情報も移動又は複写する手段とを備えたことを特徴とする画像処理装置。
【請求項２】
被写体を撮像して映像情報に変換する撮像手段を備え、前記静止画像情報生成手段が前記撮像手段により取得される映像情報から静止画像情報を生成するようにした画像記録再生装置であることを特徴とする請求項１に記載の画像処理装置。
【請求項３】
静止画像情報とはＪＰＥＧファイルであることを特徴とする請求項１又は２に記載の画像処理装置。
【請求項４】
静止画像情報はＤＣＦに準拠して記録されることを特徴とする請求項１又は２に記載の画像処理装置。
【請求項５】
印刷情報とはＤＰＯＦ情報であることを特徴とする請求項１〜３のいずれか１項に記載の画像処理装置。
【請求項６】
静止画像情報を移動又は複写するとき、移動先又は複写先においてＤＣＦにて規定されたルールに従ってファイル名を変換し、印刷情報を該変換されたファイル名に関連付けることを特徴とする請求項１〜５のいずれか１項に記載の画像処理装置。
【請求項７】
前記第１の記録媒体及び前記第２の記録媒体は、一方が光ディスクであり、他方がメモリカードであることを特徴とする請求項１〜６のいずれか１項に記載の画像処理装置。
【請求項８】
他の機器と通信を行うためのインターフェースを備え、前記第２の記録媒体は前記インターフェースを介して接続する他の機器が具備するものであることを特徴とする請求項１〜６のいずれか１項に記載の画像処理装置。
【請求項９】
静止画像情報を生成する静止画像情報生成手段と、静止画像情報に関連付けた印刷情報を生成する印刷情報生成手段とを備えた画像処理装置の制御方法であって、
前記画像処理装置が、第１の記録媒体と第２の記録媒体との間で静止画像情報を移動又は複写させる手順と、
前記画像処理装置が、前記第１の記録媒体と前記第２の記録媒体との間で静止画像情報を移動又は複写させるとき、その静止画像情報に関連付けられた印刷情報も移動又は複写させる手順とを実行するようにしたことを特徴とする画像処理装置の制御方法。
【請求項１０】
静止画像情報を生成する静止画像情報生成手段と、静止画像情報に関連付けた印刷情報を生成する印刷情報生成手段とを備えた画像処理装置を用いて、静止画像情報の移動又は複写を行うための処理をコンピュータに実行させるコンピュータプログラムであって、
第１の記録媒体と第２の記録媒体との間で静止画像情報を移動又は複写する処理と、
前記第１の記録媒体と前記第２の記録媒体との間で静止画像情報を移動又は複写するとき、その静止画像情報に関連付けられた印刷情報も移動又は複写する処理とをコンピュータに実行させることを特徴とするコンピュータプログラム。
【発明の詳細な説明】
【技術分野】
【０００１】
本発明は、例えば静止画像データを記録再生するデジタルカメラやデジタルビデオカメラ等の画像処理装置、その制御方法、及びコンピュータプログラムに関し、特に静止画像データの移動や複写を行う場合に利用して好適なものである。
【背景技術】
【０００２】
ＣＦ（コンパクトフラッシュ（登録商標））カードやＳＤカードのようにカメラ本体から着脱可能なメモリカードを記録媒体としたデジタルカメラは、（社）日本電子工業振興協会が制定するカメラファイルシステム規格Design rule for camera file system（以下、「ＤＣＦ」と称する）に対応している製品がほとんどである。
【０００３】
また、デジタルビデオカメラにおいても、ＳＤカード等を利用可能とし、ＤＣＦに対応した静止画像データを記録可能とすることで付加価値をさらに高めている製品が多数ある。
【０００４】
ＤＣＦでは、ファイル名や保存するディレクトリ名、及び静止画像の圧縮形式等を取り決めている。これらに関してここで簡単に説明する。メディアのルートディレクトリ下に"DCIM"という名前のディレクトリを作成する。さらにその下に３桁の数字＋アルファベット大文字、数字及び一部の記号を組み合わせた任意の５文字のディレクトリを作成する。例えば"100CANON"である。静止画像ファイルはこのディレクトリの下にエントリする。また、その圧縮形式はＪＰＥＧ（Joint Photographic Coding Experts Group）方式である。
【０００５】
静止画像ファイルの名称は、アルファベット大文字、数字及び一部の記号を組み合わせた任意の４文字＋４桁の数字＋拡張子（'JPG'）である。例えば"IMG_0001.JPG"である。
【０００６】
また、静止画像ファイルはディレクトリ名の一部である３桁の数字とファイル名の一部である４桁の数字で管理するので、３桁＋４桁の数字の組み合わせはメディア内でユニークでなければならない。
【０００７】
一方、デジタルビデオカメラはＤＶ方式（民生用デジタルＶＣＲ ＳＤ規格）に対応したビデオカセットテープを記録媒体とした製品が主流であるが、ＤＶＤ−ＲＡＭ、ＤＶＤ−ＲＷやＤＶＤ−Ｒ等の光ディスクを採用した製品も増えてきている。その一例として、ＤＶＤビデオレコーディング（ＤＶＤ−ＶＲ）規格に対応したデジタルビデオカメラがある。この製品では、さらにＳＤカードを搭載し、ＤＶＤ−ＲＡＭディスクとＳＤカードのいずれにも静止画像ファイルを記録可能としている。また、ＤＶＤ−ＲＡＭディスクからＳＤカードへ静止画像ファイルをコピーする機能を備えている。
【０００８】
また、自動プリント情報を静止画像ファイルとともにメディア内に記録するＤＰＯＦ（Digital Print Order Format）が普及している。特許文献１にはＤＰＯＦファイルに指定された静止画像ファイルを一括コピーする技術が開示されており、特許文献２はスライドショー等に利用する技術が開示されている。いずれもＤＰＯＦ情報を利用したアプリケーションである。
【０００９】
【特許文献１】特開２０００−２９９８３０号公報
【特許文献２】特開２００３−１１６０９３号公報
【発明の開示】
【発明が解決しようとする課題】
【００１０】
しかしながら、従来の技術は、静止画像ファイルを別のメディアにコピー又は移動するときにＤＰＯＦ情報も合わせてコピー又は移動させるというものではない。そのため、一度ＤＰＯＦ情報をユーザが設定しても、静止画像ファイルを別のメディアにコピー又は移動するような操作を行った場合、再度ＤＰＯＦ情報を設定する必要があった。
【００１１】
本発明は上記のような点に鑑みてなされたものであり、静止画像情報を別の記録媒体に移動したり、複写したりする操作を行った場合でも、印刷情報を再度設定することを不要にすることを目的とする。
【課題を解決するための手段】
【００１２】
本発明による画像処理装置は、静止画像情報を生成する静止画像情報生成手段と、静止画像情報に関連付けた印刷情報を生成する印刷情報生成手段と、第１の記録媒体と第２の記録媒体との間で静止画像情報を移動又は複写する手段と、前記第１の記録媒体と前記第２の記録媒体との間で静止画像情報を移動又は複写するとき、その静止画像情報に関連付けられた印刷情報も移動又は複写する手段とを備えた点に特徴を有する。
本発明による画像処理装置の制御方法は、静止画像情報を生成する静止画像情報生成手段と、静止画像情報に関連付けた印刷情報を生成する印刷情報生成手段とを備えた画像処理装置の制御方法であって、前記画像処理装置が、第１の記録媒体と第２の記録媒体との間で静止画像情報を移動又は複写させる手順と、前記画像処理装置が、前記第１の記録媒体と前記第２の記録媒体との間で静止画像情報を移動又は複写させるとき、その静止画像情報に関連付けられた印刷情報も移動又は複写させる手順とを実行するようにした点に特徴を有する。
本発明によるコンピュータプログラムは、静止画像情報を生成する静止画像情報生成手段と、静止画像情報に関連付けた印刷情報を生成する印刷情報生成手段とを備えた画像処理装置を用いて、静止画像情報の移動又は複写を行うための処理をコンピュータに実行させるコンピュータプログラムであって、第１の記録媒体と第２の記録媒体との間で静止画像情報を移動又は複写する処理と、前記第１の記録媒体と前記第２の記録媒体との間で静止画像情報を移動又は複写するとき、その静止画像情報に関連付けられた印刷情報も移動又は複写する処理とをコンピュータに実行させる点に特徴を有する。
【発明の効果】
【００１３】
本発明によれば、第１の記録媒体と第２の記録媒体との間で静止画像情報を移動又は複写するとき、その静止画像情報に関連付けられた印刷情報も移動又は複写するようにしたので、ユーザが一度印刷情報を設定すれば、静止画像情報を別の記録媒体に移動したり、複写したりする操作を行った場合でも、印刷情報を再度設定することが不要となり、使い勝手を向上させることができる。
【発明を実施するための最良の形態】
【００１４】
以下、添付図面を参照して、本発明の好適な実施形態について説明する。
（第１の実施形態）
（ビデオカメラの説明）
図１は、本実施形態のビデオカメラの内部構成例を示す図である。１３０はレンズユニットであり、集光のための固定レンズ群、変倍レンズ群、絞り、変倍レンズ群の動きで移動した結像位置を補正する機能と焦点調節を行う機能とを兼ね備えた補正レンズ群により構成される。レンズユニット１３０によって、最終的にＣＣＤ１３１の結像面上に被写体像が結像される。
【００１５】
１３１はＣＣＤ（charge coupled device）であり、光を電荷に変換し、撮像信号を生成する。ここでは、説明のためＳＤＴＶ方式に合わせた画素数を標準サイズと称する。また、後述するが、ビデオカメラからテレビジョン受像機に出力する映像信号はＳＤＴＶ方式であるものとする。ＣＣＤ１３１は標準サイズに対し画素数の多い素子を用いている。これはテレビジョン受像機で視聴することを主目的とするビデオ信号の記録の他に、パソコンによる閲覧や印刷を目的とした静止画像の記録機能を実現するためである。
【００１６】
１３２はＡ/Ｄ処理部であり、撮像信号に所定の処理を施し、デジタル画像データを出力する。
【００１７】
これらをレンズユニット１３０、ＣＣＤ１３１、Ａ／Ｄ処理部１３２を総じてカメラユニットとする。また、図１には図示していないが、変倍レンズ群、絞り等のアクチュエータ、手ぶれ補正のためのセンサ（例えば角速度センサ）、同補正手段（例えばシフトレンズ）が備えられている。
【００１８】
１３５はカメラ制御マイクロコンピュータであり、マイクロコンピュータ１１０の制御に従いカメラユニットを制御するものである。また、カメラユニットから得られる情報、例えば合焦情報、手ぶれ情報等をマイクロコンピュータ１１０に伝達する役割も果たしている。
【００１９】
１３３はマイクユニットである。マイクユニット１３３は撮影時に音声を集めるために備えられており、所定の増幅、帯域制限等が含まれる。１３４はＡ/Ｄ処理部であり、マイクユニット１３３の出力を受け、デジタル音声データを出力する。
【００２０】
１１０はマイクロコンピュータであり、システム全体を制御する。マイクロコンピュータ１１０は、プログラムを格納する不揮発性メモリ（ＲＯＭ）、作業領域となる揮発性メモリ（ＲＡＭ）、他のハードウエアとデータの受け渡しや制御用レジスタをアクセスするための外部バス、時間を計測するタイマを少なくとも有する。
【００２１】
１０３はバスである。バス１０３には各ブロックが接続されており、マイクロコンピュータ１１０の制御に従ってデータの受け渡しを行う伝送路となる。
【００２２】
１０２はエンコーダ部であり、マイクロコンピュータ１１０の制御に従いデジタル画像データ及びデジタル音声データを受け、ＭＰＥＧ（Moving Picture Experts Group）２方式で圧縮し、さらに時系列順に多重化して圧縮ビデオデータを生成する。上述の通りＣＣＤ１３１は標準サイズに対し画素数が多いので、ＳＤＴＶ方式に合うよう縮小又は切り出し処理が可能なよう工夫されている。
【００２３】
また、エンコーダ部１０２には、例えばデータ位置とフレーム位置の変換に必要となる情報等をマイクロコンピュータ１１０に通知する機能を備えている。
【００２４】
さらに、エンコーダ部１０２は、ＪＰＥＧ（Joint Photographic Experts Group）方式の圧縮を行い、圧縮静止画データを出力する機能も兼ね備えている。また、このとき圧縮する画素数は、マイクロコンピュータ１１０の制御に従い任意のものとすることが可能である。
【００２５】
１０４は制御回路であり、エンコーダ部１０２と、メモリ１０６、メモリカード１７０、光ディスク１２０、及びデコーダ部１０８とのインターフェースを有し、マイクロコンピュータ１１０の制御に従いデータの受け渡しを制御する。
【００２６】
１０６はメモリであり、各ブロックが作業用に使用可能となっている。１７０はＣＦカードやＳＤカードのように半導体メモリを内蔵した着脱可能なメモリカードである。１２０は光ディスクである。制御回路１０４は、バス１０３に接続されるマイクロコンピュータ１１０やメモリ１０６とのインターフェースと、メモリカード１７０、及び光ディスク１２０とのインターフェースを有し、マイクロコンピュータ１１０等から光ディスク１２０の制御レジスタにアクセスするための変換を行うものである。なお、光ディスク１２０はメディアそのもののみではなく、ヘッド、モータを含むメカデッキ、それらを制御する制御回路、及び制御回路１０４と接続可能なインターフェース（例えばＡＴＡＰＩ Ｉ／Ｆ）を有し、光ディスクにデータ等を読み書き可能なユニットのことである。メモリカード１７０も同様である。
【００２７】
制御回路１０４には、メモリ１０６の先頭アドレスとデータ量、及び光ディスク１２０の書き込む先頭セクタを指定することにより、読み出し又は書き込みデータを自動転送する所謂ダイレクトメモリアクセス（ＤＭＡ）機能が備えられている。
【００２８】
１０８はデコーダ部であり、マイクロコンピュータ１１０に指定されたメモリ１０６のアドレスから圧縮ビデオデータや圧縮静止画データを逐次読み出し、例えばITU-RBT.656（CCIR656）等のデジタル映像信号及びデジタル音声信号に変換し、出力する。圧縮静止画データの再生時には、必要があれば縮小処理を行うことができるよう工夫されている。
【００２９】
１０７は音声出力部、１０９は映像出力部である。映像出力部１０９、音声出力部１０７は、デコーダ部１０８によって変換されたデジタル映像信号及びデジタル音声信号をそれぞれアナログ信号に変換し外部に出力するためのブロックであり、テレビジョン受像機等に接続される。１１６はスピーカーユニットであり、デジタル音声信号を受け音声を再生するためのものである。１１３はオンスクリーンディスプレイ（ＯＳＤ）部であり、各種設定メニューやタイトル、時間等の情報をビデオ出力に重畳させるものである。また、ＯＳＤ部１１３は、デコーダ部１０８から入力されるデジタル映像信号をキャプチャーし、縮小処理を施し、任意の位置に重畳させる機能も兼ね備えている。
【００３０】
１１２は操作スイッチ群、１６１はメディア切替スイッチ、１６２はトリガースイッチ、１６３はモードダイアルである。いずれもユーザ操作によって入力された信号をマイクロコンピュータ１１０が判定し動作させるものである。メディア切替スイッチ１６１は、光ディスク１２０とメモリカード１７０のいずれのメディアに記録や再生を行うのかを選択するためのスイッチである。トリガースイッチ１６２は動画カメラモードでは動画像記録開始要求又は停止要求としてマイクロコンピュータ１１０は認識し、静止画カメラモードでは静止画記録要求（シャッター）として認識する。モードダイアル１６３は回転式スイッチであり、動画撮影を行う動画カメラモード、静止画撮影を行う静止画カメラモード、主電源を遮断するオフモード、さらに撮影像の再生を行う再生モードを選択するものである。
【００３１】
１１５はリアルタイムクロックであり、カレンダー及び時刻情報をマイクロコンピュータ１１０に伝達するためのものである。また、初期値とカウント開始命令は、ユーザが操作スイッチ１１２によって入力し、マイクロコンピュータ１１０を介して与えられる。録画コンテンツに付与されるタイムスタンプ情報等に利用する。
【００３２】
１５０はＥＶＦ、１５１は液晶パネル、１５２はパネル開閉検出スイッチである。
【００３３】
マイクロコンピュータ１１０は所定のファイルシステムを扱うソフトウェアを搭載しており、このファイルシステムに従って光ディスク１２０へのデータの読み書きが行われる。
【００３４】
（録画動作）
次に、本実施形態のビデオカメラにおける録画動作の流れを説明する。電源を投入されると、マイクロコンピュータ１１０は、光ディスク１２０から前述のファイルシステムに則って録画可能（空き）領域の検索を行う。このとき、録画可能容量を算出し、録画可能容量と録画モードから録画可能時間を算出する。以降、録画中は録画可能容量の減少を監視し、定期的に録画可能時間を更新していく。
【００３５】
マイクロコンピュータ１１０は常にスイッチの状態を検出し、ユーザの操作を監視している。以下、ユーザの操作は断りのない限り操作スイッチ群１１２等のユーザインターフェースを介してマイクロコンピュータ１１０に伝えられものとする。
【００３６】
次に、ユーザが録画開始要求を発生させると、カメラ画像及び音声の記録を開始すべく、マイクロコンピュータ１１０が各ブロックを制御する。まずエンコーダ部１０２にはＭＰＥＧ２エンコード処理を開始させ、圧縮ビデオデータを制御回路１０４を介してメモリ１０６の所定アドレスを先頭に蓄積するよう制御する。所定量のデータを蓄積する毎に、エンコーダ部１０２はマイクロコンピュータ１１０に割り込み等の手段により通知する。マイクロコンピュータ１１０はこの通知を受け、次に蓄積すべき先頭アドレスを制御回路１０４に通知する。
【００３７】
さらにマイクロコンピュータ１１０は、メモリ１０６に蓄積された圧縮ビデオデータを光ディスク１２０に書き込むよう光ディスク１２０及び制御回路１０４にコマンドを発行する。このとき、光ディスク１２０に書き込む領域はファイルシステムに則って検索された記録可能（空き）領域である。このエンコード処理から光ディスク１２０への書き込みまでの一連の処理が、録画停止要求が発生するまで繰り返される。記録した圧縮ビデオデータは動画データファイルとしてエントリされる。また、コンテンツの管理情報等も記録される。
【００３８】
静止画像を記録するときは、静止画記録要求時の画像データをエンコーダ部１０２によってＪＰＥＧ方式で圧縮し、圧縮静止画データを生成する。次に、動画像と同様に静止画像ファイル（拡張子"JPG"）として光ディスク１２０やメモリカード１７０に記録する。
【００３９】
（ディレクトリ構成）
図２に、管理ファイル、動画データファイル、静止画像ファイル等を記録媒体上に格納した状態の一例を示す。２０１は本システムが生成するファイル群を格納する最も上位層のディレクトリである。ここではルートディレクトリとしておく。
【００４０】
２０５はDCIMディレクトリであり、ＤＣＦファイル（静止画像ファイル）を格納する。２０６は実際に静止画像ファイルを格納するためのサブディレクトリの一つである。なお、このサブディレクトリ及び静止画像ファイル名の命名ルールは背景技術で説明した通りである。
【００４１】
２１０はMISCディレクトリ、２１１はAUTOPRINT.MRKファイルであり、MISCディレクトリ２１０下には少なくともAUTOPRINT.MRKファイル２１１を格納する。また、AUTOPRINT.MRKファイル２１１は、プリント指定情報であるＤＰＯＦ情報を記述したファイルであり、本体操作等によりユーザが印刷を指定した情報が記述されている。
【００４２】
２０２はAVディレクトリであり、主に動画データファイル等を格納するためのものである。
【００４３】
（AUTOPRINT.MRKファイル）
図３にAUTOPRINT.MRKファイルの一例を示す。３０１はＤＰＯＦ情報の記述例であり、［ＨＤＲ］はヘッダ情報である。３０２、３０３はそれぞれ印刷情報である。それぞれの印刷情報に記述されているのは、"ＰＲＴ ＰＩＤ"はＩＤ番号であり、一般的に１，２と付与される。"ＰＲＴ ＴＹＰＥ"は印刷タイプであり、ここでは"ＳＴＤ"であって標準印刷を意味している。"ＰＲＴ ＱＴＹ"は印刷枚数、"ＩＭＧ ＦＭＴ"は画像ファイルのフォーマットであり、ここでは"ＥＸＩＦ２−Ｊ"である。最後の"ＩＭＧ ＳＲＣ"はそれぞれの印刷情報によって印刷すべきファイルを相対パスで指し示している。
このようなファイルをメディア内に作成することにより、対応しているシステムであれば同じように印刷をさせることができるものである。
【００４４】
これまで説明してきたビデオカメラでは、メディア間で静止画像ファイル（ＪＰＥＧファイル）を移動させる機能を有する。このときの処理動作を、図４のフローチャートを参照して説明する。
【００４５】
ステップＳ４０１は移動ファイル決定処理であり、ユーザインターフェースを介して移動させるファイルをユーザが選択する処理である。
【００４６】
ステップＳ４０２はファイル移動処理であり、ステップＳ４０１で決定したファイルを別メディアに移動させる処理である。なお、このファイル移動処理では、移動する静止画像ファイル名を移動先メディアに格納されている状態に応じてリネームする処理を含む。例えば、移動先メディアのＤＣＦにて規定されたルールに従って付与された一番大きい数字の次の名前に変更するといったような処理である。
【００４７】
ステップＳ４０３は移動ファイルに対応するＤＰＯＦ情報（具体的には、印刷情報）があるか否かの判定処理であり、正の場合にはステップＳ４０４へ移行し、否の場合には終了する。この場合、移動元のメディア内のＤＰＯＦ情報をチェックしておき、いずれかの印刷情報内の相対パスで指定されたファイルと、移動対象となるファイルが一致するときは正となり、一致しないときは否となる。また、静止画像ファイル毎に印刷設定の有無を別に記憶しておいて、それを用いて判定しても良い。
【００４８】
ステップＳ４０４は移動ファイルに対応する印刷情報（図３の３０２や３０３に相当）内の相対パスの記述を、ステップＳ４０２のファイル移動処理によってリネームされた移動先のファイル名に合うように変換して、パス変換後の印刷情報を移動先メディア内のＤＰＯＦ情報ファイルにＩＤ番号等を調整した上で追記する処理である。ここで、ファイル移動後には、移動されたファイルに関する印刷情報を、移動元のメディア内のＤＰＯＣ情報ファイルから消去するようにする。
【００４９】
この一連の処理によって、別メディアに静止画像ファイルを移動するとき、その静止画像ファイルに対応したＤＰＯＦ情報が存在する場合は、その印刷情報を保持しつつ同様に移動させることができ、ユーザは再設定する必要がなくなる。
【００５０】
本実施形態では静止画像ファイルを移動させる場合について説明したが、静止画像ファイルをコピーするときに、ＤＰＯＦ情報もコピーするようにしても良い。静止画ファイルをコピーした場合、そのファイルに対応するＤＰＯＦ情報が存在するときは、コピー元のメディア内のＤＰＯＦ情報をそのまま保持するとともに、コピー先のメディア内にコピーファイルに対応して相対パスが変換された後のＤＰＯＦ情報が生成されることになる。また、静止画像ファイルを移動又はコピーさせるとき、ＤＰＯＦ情報も移動又はコピーするかの選択をさせても良い。
【００５１】
（第２の実施形態）
図５は、機器間で静止画像ファイルの移動又はコピーを行う例を説明するための図である。５０１は第１の実施形態で説明したようなビデオカメラである。５０２はビデオデッキであり、ビデオカメラ５０１の撮像系の代わりに放送波を受信するチューナ部を内蔵し、ハードディスクやＤＶＤ等の光ディスクにデータを記録再生可能な装置である。ビデオカメラ５０１、ビデオデッキ５０２はＵＳＢインターフェースを備えており、ＵＳＢケーブル５０３を介して接続する。
【００５２】
例えばビデオカメラ５０１に装着されたメディア内に記録されている静止画像ファイルをビデオデッキ５０２にＵＳＢを介して転送するとき、第１の実施形態で説明した図４のフローチャートを実行するものとする。逆に、ビデオデッキ５０２から静止画像ファイルをビデオカメラ５０１にＵＳＢを介して転送するときに、第１の実施形態で説明した図４のフローチャートを実行するようにしてもよい。
【００５３】
なお、図５ではビデオカメラ５０１を１台しか接続していないが、複数台接続してもかまわない。
【００５４】
これまで説明してきたように本実施形態によれば、複数のメディアを同時に装着可能な機器でなくとも、機器を２台用意することによって第１の実施形態と同様な効果を得ることが可能となる。
【００５５】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００５６】
この場合、記憶媒体から読み出されたプログラムコード自体が上述した実施形態の機能を実現することになり、プログラムコード自体及びそのプログラムコードを記憶した記憶媒体は本発明を構成することになる。
【００５７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５８】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００５９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６０】
【図１】ビデオカメラの内部構成例を説明する図である。
【図２】光ディスクに記録されるファイル構成及びディレクトリを説明するための図である。
【図３】ＤＰＯＦ情報ファイルの記述例を示す図である。
【図４】メディア間で静止画像ファイル（ＪＰＥＧファイル）を移動させるときの処理動作を説明するためのフローチャートである。
【図５】第２の実施形態である機器間で静止画像ファイルの移動又はコピーを行う例を説明するための図である。
【符号の説明】
【００６１】
１３０      レンズユニット
１３１      ＣＣＤ
１３２      Ａ／Ｄ処理部
１３５      カメラ制御マイクロコンピュータ
１０２      エンコーダ部
１０３      バス
１０４      制御回路
１２０      光ディスク
１７０      メモリ−カード
１０６      メモリ  １０８      デコーダ部
５０１      ビデオカメラ
５０２      ビデオデッキ
５０３      ＵＳＢケーブル
【図１】
2006229771.tif 000003
【図２】
2006229771.tif 000004
【図３】
2006229771.tif 000005
【図４】
2006229771.tif 000006
【図５】
2006229771.tif 000007